(57)【要約】【課題】前面から運転表示を確認しやすくし、かつ本体の厚みが増すことがなく、また、扉を閉じたときにも意匠的に優れた加湿空気清浄機を提供する。【解決手段】水を貯留するタンク３、及びこのタンク３の下部に設置されてタンク３から給水される水受けトレイ４と、下部が水受けトレイ４内に浸漬される加湿手段１０と、本体ケーシング１内に吸い込んだ空気を加湿手段１０を通過させることにより加湿させて外部に吹き出す送風手段９と、タンク３の前面に開閉自在に設置された扉２とを備え、この扉２に運転状態や室内の環境状態を表示する表示部を設けるとともに、本体ケーシング１のタンク３の上側に空間部１３１を設け、扉２を閉じたときに、表示部が空間部１３１に収容されるようにした。【選択図】図４
2010032189.tif 000002
【特許請求の範囲】
【請求項１】
水を貯留するタンクと、該タンクの下部に設置されて該タンクから給水される水受けトレイと、下部が前記水受けトレイ内に浸漬される加湿手段と、本体ケーシング内に吸い込んだ空気を前記加湿手段を通過させることにより加湿させて外部に吹き出す送風手段と、前記タンクの前面に開閉自在に設置された扉とを備え、
前記扉に運転状態や室内の環境状態を表示する表示部を設けるとともに、前記本体ケーシングのタンクの上側に空間部を設け、前記扉を閉じたときに、前記表示部が前記空間部に収容されるようにしたことを特徴とする加湿空気清浄機。
【請求項２】
前記空間部が、下方開口する凹部であることを特徴とする請求項１記載の加湿空気清浄機。
【請求項３】
前記扉の上下に上軸受け及び下軸受けを設けるとともに、前記本体ケーシングに前記上軸受け及び下軸受けとそれぞれ係合する上軸及び下軸を設け、前記上軸の軸方向の一方を中空に形成し他方を爪状に形成して、前記爪状部を前記本体ケーシングに係止するとともに、前記中空部を前記扉の上軸受けと係合させて、前記扉を回動自在に軸支することを特徴とする請求項１または２記載の加湿空気清浄機。
【請求項４】
前記操作基板と前記表示部とをつなぐ信号線が、前記上軸の中空部を通って結線されていることを特徴とする請求項３記載の加湿空気清浄機。
【請求項５】
運転状態を制御する操作基板を有し前記本体ケーシングの上部に配設された操作ケースを備え、前記扉に形成された前記上軸受を前記扉の上端部より下方に配設し、前記操作ケースの上面と前記扉の上端面とが同じ高さになるようにしたことを特徴とする請求項３または４記載の加湿空気清浄機。
【発明の詳細な説明】
【技術分野】
【０００１】
本発明は、加湿機能と空気清浄機能とを備えた加湿空気清浄機に関するものである。
【背景技術】
【０００２】
従来の加湿空気清浄機は、本体ケーシングの前面側にタンクが設けられ、タンクの下部には水受け皿が設けられていた。また、本体ケーシングの背面側には空清フィルタが設けられ、その前面側の下部には気化フィルタが設けられて、気化フィルタとタンクの背面側とにより風路が形成されており、気化フィルタの上方には、清浄化空気を吸い込んで外部に排出するシロッコファンが設けられていた。そして、タンクの前方には扉が設けられ、本体ケーシングの上部には前面側に表示部を有する操作ケースが設けられており、操作ケースの下面に扉の上面が位置して扉が閉じられるようになっていた（例えば特許文献１参照）。
【０００３】
【特許文献１】特開２００８−０３９３１７号公報（第４頁、図６）
【発明の開示】
【発明が解決しようとする課題】
【０００４】
特許文献１記載の加湿空気清浄機は、前方から表示部を確認することができるが、表示エリアが操作ケース前面の狭い面積に限定されてしまう。このため、扉に表示部を設けることも考えられるが、扉の裏面側に部品が配設されるために加湿空気清浄機の厚みが増してしまうという問題があった。
また、扉は操作ケースの下面に扉の上面が位置して閉じられるため、これらの間に境界ラインが出来てしまい、意匠上好ましくなかった。
【０００５】
本発明は、上述のような課題を解決するためになされたものであり、前面から運転表示を確認しやすくし、かつ本体の厚みが増すことのない加湿空気清浄機を提供することを目的とする。
また、扉を閉じたときに、操作ケースの下面と扉の上面との間に境界ラインが表れることのない意匠的に優れた加湿空気清浄機を提供することを目的とする。
【課題を解決するための手段】
【０００６】
本発明に係る加湿空気清浄機は、水を貯留するタンクと、タンクの下部に設置されてタンクから給水される水受けトレイと、下部が水受けトレイ内に浸漬される加湿手段と、本体ケーシング内に吸い込んだ空気を加湿手段を通過させることにより加湿させて外部に吹き出す送風手段と、タンクの前面に開閉自在に設置された扉とを備え、
扉に運転状態や室内の環境状態を表示する表示部を設けるとともに、本体ケーシングのタンクの上側に空間部を設け、扉を閉じたときに、表示部が空間部に収容されるようにしたものである。
そして、運転状態を制御する操作基板を有し本体ケーシングの上部に配設された操作ケースを備え、扉に形成された上軸受を扉の上端部より下方に配設し、操作ケースの上面と扉の上端面とが同じ高さになるようにしたものである。
【発明の効果】
【０００７】
本発明によれば、運転状態や室内の環境状態を表示する表示部を扉に設けたので、視認性を向上させることができる。また、本体ケーシングのタンクの上側に空間部を設け、扉を閉じたときに表示部が空間部に収容されるようにしたので、本体ケーシングの厚みが大きくならずに済む。
さらに、扉に形成された上軸受を扉の上端より下方に配設し、操作ケースの上面と扉の上端面とが同じ高さになるようにしたので、扉を閉じたときに操作ケースの前面が扉により覆われ、このため、操作ケースの下面と扉の上端面との間に境界ラインがでず、意匠面でも優れた加湿空気清浄機を得ることができる。
【発明を実施するための最良の形態】
【０００８】
図１は本発明の一実施の形態に係る加湿空気清浄機の前面斜視図、図２は図１の背面斜視図、図３は図１の扉を開いた状態の前面斜視図、図４は図１の縦断面図、図５は図４の要部の縦断面図、図６は図１の扉の表面側の斜視図、図７は図６の裏面側の斜視図、図８は上軸が操作基板の基板ボックスに取り付けられた状態の一部を断面で示した加湿空気清浄機の前面斜視図、図９は図８の要部を拡大した前面斜視図、図１０は図９の要部の上面断面図、図１１は図９の要部の縦断面図である。
【０００９】
加湿空気清浄機の本体ケーシング１の前面側には、扉２が設けられている。そして、扉２の背面側（本体ケーシング１側）には、上部に把手３ａを有し、水を貯留するカートリッジ式タンク３（以下、タンク３という）が着脱自在に設置されており、タンク３の下部から本体ケーシング１の背面側にかけて、タンク３に連通する水受けトレイ４が着脱可能に設置されている。
【００１０】
本体ケーシング１の背面側には、空気の吸込み口を有するフィルタカバー５が着脱可能に装着されており、フィルタカバー５の前面側には脱臭フィルタ６が設けられ、さらにその前面側には、空中に浮遊する微細塵を捕集する空気清浄フィルタ７が設けられている。空清フィルタ７の前面側の上部には、ファンモータ８によって駆動される吸排気用のシロッコファン（送風手段）９が設置されている。
【００１１】
シロッコファン９の下側であって空清フィルタ７の前面側には、気化フィルタ１０が設けられている。この気化フィルタ１０は、親水性の材料からなる複数の円板状の加湿エレメントを所定の間隔で積層（図４の垂直方向に積層）して形成された加湿手段である気化ディスクで、その下部が水受け皿４内に浸漬するように配設されており、駆動手段（図示せず）により回転駆動されるようになっている。
【００１２】
タンク３の背面側には、タンク３に接して少なくともシロッコファン９と対向する位置まで延設され、気化フィルタ１０との間に風路１１を形成する風路仕切り板１２が設けられている。また、タンク３の上部には電源基板１３が設けられ、さらにその上部には操作基板１４が設けられて、これらにより、運転やファンモータ８等の制御部を構成している。この電源基板１３は収容ケース１３０に収容され、操作基板１４は基板ボックス１５と操作ケース１６の間に収容されており、操作ケース１６の上面には操作パネル１７が設けられて運転スイッチ類が配置されている。ファンモータ８は、制御部である電源基板１３及び操作基板１４によって運転され制御される。
本体ケーシング１には、さらに、埃の有無を検知する埃センサー（図示せず）、臭いの有無を検知する臭いセンサー（図示せず）、及び相対湿度を測定する湿度センサー（図示せず）が設けられている。
【００１３】
扉２には表示部が設けられており、扉２の表面２ａには意匠板２０が貼り付けられている。また、扉２の裏面２ｂには、表示部の表示基板２１と、基板カバー２２が設けられており、扉２を閉じたときに、これらがタンク３の上部３ｂより上方に位置して、本体ケーシング１と扉２との間の空間部に収容されるようになっている。本体ケーシング１側に設けられたこの空間部は、電源基板１３の収容ケース１３０の下部に開口して設けられた凹部１３１であって、この凹部１３１に扉２の裏面２ｂに設けた基板カバー２２が収容される。
【００１４】
図６、図７に示すように、扉２はその裏面２ｂの四辺に沿って、扉上端面２００ａ、扉左端面２００ｂ（扉２の正面２ａ側より見て左側）、扉右端面２００ｃ（扉２の正面２ａ側より見て右側）、及び扉下端面２００ｄからなる扉端面２００が形成されている。また、扉２の裏面２ｂには、扉端面２００よりさらに本体ケーシング１側に突出した扉２の上端部より下方に位置する上仕切り板２０１ａ、左仕切り板２０１ｂ（扉２の正面２ａ側より見て左側）、及び右仕切り板２０１ｃ（扉２の正面２ａ側より見て右側）からなるコ字状の仕切り板２０１が設けられている。そして、左仕切り板２０１ｂ及び右仕切り板２０１ｃはその下端がそれぞれ対向側に曲げられて折り曲げ片２０１ｄ、２０１ｅを形成している。なお、上仕切り板２０１ａは、扉上端面２００ａよりもやや下がった位置にあり、扉２を閉めたときに、上仕切り板２０１ａを境に、その上側は操作ケース１６の前面１６ａを覆い、下側はタンク３の前面を覆うようになっている。
【００１５】
扉２の上仕切り板２０１ａの左側（左仕切り板２０１ｂ側）には上軸受け２３ａが設けられ、左仕切り板２０１ｂの下側の折り曲げ片２０１ｄには下軸受け２３ｂが設けられており、これらの軸受け２３ａ、２３ｂが本体ケーシング１の上軸１８ａと下軸１８ｂに係合して、扉２が開閉自在に軸支されている。
上軸１８ａ（図９〜図１１）は樹脂成形したもので、パイプ状の中空部１８０とその上側の爪部１８１とからなり、基板ボックス１５に設けた取付け部１５ａに、爪部１８１が係合して回転しないよう取付けられている。なお、下軸１８ｂは本体ケーシング１の下部の水受け皿ガイド１９に底面方向からネジ止めされている。
表示基板２１と操作基板１４とは、扉２の裏面２ｂに配線されて上軸１８ａの中空部１８０を通る信号線２４によって繋がっている。
【００１６】
扉２の右側（扉２の正面２ａ側より見て右側）には、扉２を閉めたときに扉２と本体ケーシング１とを結合するラッチ部（図示せず）が設けられており、本体ケーシング１に取付けられた把手１ａと連結する。
【００１７】
次に、上記のように構成した本実施の形態の作用を、図１２を用いて説明する。
操作パネル１７の運転スイッチをＯＮにすると、ファンモータ８が駆動され、これにより吸排気用のシロッコファン９が回転する。こうして、室内の空気がフィルタカバー５から吸引され、脱臭フィルタ６、空清フィルタ７を通過して、脱臭され、清浄化される。上部から導入された空気は乾燥状態で直接にシロッコファン９に導かれ、また、下部から導入された空気は、気化フィルタ１０を通過し、風路１１を通って、シロッコファン９に導かれる。このとき、気化フィルタ１０は水受け皿４から水分を吸い込んでおり、吸い込まれた水分は気化フィルタ１０を通過した空気によって気化されて、通過する空気を加湿する。こうして、シロッコファン９に導かれた清浄空気はここで混合され、本体ケーシング１の上部の空気吐出口１００から室内に吐出される。
【００１８】
運転は、固定したファンの回転数で回転する固定モードと、本体ケーシング１に取付けられた埃センサー、臭いセンサー、湿度センサーでの検知結果により、自動的にファン回転数を電源基板１３により制御される自動モードとがあり、埃センサー、臭いセンサーでの検知状態はドット表示により、また湿度センサーでの検知状態は相対湿度がディジタルにより表示基板２１に表示され、扉２の意匠板２０を通して運転表示が確認される。
【００１９】
扉２を開くときは、把手１ａを押して扉２とラッチ部の結合を外すと、扉２が本体ケーシング１から浮き上がる。扉２に手をかけて手前に引くと、扉２の左側に位置する上軸１８ａ、下軸１８ｂを軸として扉２が回転し、手前に移動する。扉２を閉めるときは、扉２の右側を本体ケーシング１側へ押し付け、ラッチ部を結合させる。こうすると、扉２の裏面２ｂにある基板カバー２２は、タンク３の上側に位置する空間部である凹部１３１に収まる。
【００２０】
本実施の形態によれば、運転状態や室内の環境状態を表示する表示部を扉２に設けたので、視認性を向上することができる。また、本体ケーシング１のタンク３の上側に空間部１３１を設け、扉２を閉じたときに表示部が空間部１３１に収容されるようにしたので、本体ケーシング１の厚みが大きくならずに済み、小型化、軽量化を達成することができる。さらに、扉２に形成された上軸受け２３ａを扉２の上端より下方に配設し、操作ケース１６の上面と扉２の上端面２００ａとが同じ高さになるようにしたので、扉を閉じたときに操作ケース１６の前面が扉２により覆われ、このため、操作ケース１６の下面と扉２の上端面との間に境界ラインがでず、意匠面でも優れた加湿空気清浄機を得ることができる。
【図面の簡単な説明】
【００２１】
【図１】本発明の一実施の形態に係る加湿空気清浄機の前面斜視図である。
【図２】図１の背面斜視図である。
【図３】図１の扉を開いた状態の前面斜視図である。
【図４】図１の縦断面図である。
【図５】図４の要部の縦断面図である。
【図６】図１の扉の表面側の斜視図である。
【図７】図６の扉の裏面側の斜視図である。
【図８】図１の一部を断面で示した前面斜視図である。
【図９】図８の要部の拡大図である。
【図１０】図９の要部の上面図である。
【図１１】図９の要部の縦断面図である。
【図１２】本発明に係る加湿空気清浄機の作用説明図である。
【符号の説明】
【００２２】
１  本体ケーシング、２  扉、２ａ  扉表面、２ｂ  扉裏面、３  カートリッジ式タンク（タンク）、４  水受けトレイ、５  フィルタカバー、６  脱臭フィルタ、７  空清フィルタ、８  ファンモータ、９  シロッコファン（送風手段）、１０  気化フィルタ（加湿手段）、１１  風路、１３  電源基板、１４  操作基板、１５  基板ボックス、１６  操作ケース、１７  操作パネル、１８ａ  上軸、１８ｂ  下軸、２０  意匠板、２１  表示基板、２４  信号線、２３ａ  上軸受け、２３ｂ  下軸受け、１３１  凹部（空間部）、１８０  上軸の中空部、１８１  上軸の爪部（爪状部）、２００  扉端面、２００ａ  扉上端面、２０１  仕切り板、２０１ａ  上仕切り板、２０１ｂ  左仕切り板、２０１ｃ  右仕切り板。
【図１】
2010032189.tif 000003
【図２】
2010032189.tif 000004
【図３】
2010032189.tif 000005
【図４】
2010032189.tif 000006
【図５】
2010032189.tif 000007
【図６】
2010032189.tif 000008
【図７】
2010032189.tif 000009
【図８】
2010032189.tif 000010
【図９】
2010032189.tif 000011
【図１０】
2010032189.tif 000012
【図１１】
2010032189.tif 000013
【図１２】
2010032189.tif 000014